(57)【要約】【課題】充電式電気かみそりを、充電コードを介し商用電源に接続した状態で駆動していることを使用者に明瞭に認識させる。【解決手段】電気かみそり１は、内刃を駆動するモータ２２と、モータ２２に電力を供給する二次電池２３と、モータ２２と二次電池２３の間に配置された開閉スイッチ３０と、二次電池２３の充電回路２４に接続された駆動用トランジスタ２５と、駆動用トランジスタ２５をデューティ制御するものであって、二次電池２３の電圧検知手段２８を含む制御装置２７と、前記各構成要素を内蔵するケース１０と、ケース１０に着脱可能に接続される充電コードとを備える。電気かみそり１を、充電コードを介し商用電源に接続した状態で使用するとき、制御装置２７は、開閉スイッチ３０が閉じられてから所定時間の間、駆動用トランジスタ２５を特定のデューティで発振させつつモータ２２をＡＣ運転する。【選択図】図２
2010194205.tif 000002
【特許請求の範囲】
【請求項１】
内刃を駆動するモータと、前記モータに電力を供給する二次電池と、前記モータと二次電池の間に配置された開閉スイッチと、前記二次電池の充電回路に接続された駆動用トランジスタと、前記駆動用トランジスタをデューティ制御するものであって、前記二次電池の電圧検知手段を含む制御装置と、前記各構成要素を内蔵するケースと、前記ケースに着脱可能に接続される充電コードとを備えた充電式電気かみそりにおいて、
前記充電コードを介し商用電源に接続した状態で使用するとき、前記制御装置は、前記開閉スイッチが閉じられてから所定時間の間、前記駆動用トランジスタを特定のデューティで発振させつつ前記モータをＡＣ運転することを特徴とする充電式電気かみそり。
【請求項２】
前記所定時間経過後、前記制御装置は前記駆動用トランジスタを前記二次電池の電圧に応じたデューティで発振させることを特徴とする請求項１に記載の充電式電気かみそり。
【発明の詳細な説明】
【技術分野】
【０００１】
本発明は充電式電気かみそりに関する。
【背景技術】
【０００２】
充電式電気かみそりの充電方式には、大別して、充電器（充電台、充電スタンド）方式と充電コード方式の二方式がある。
【０００３】
充電器方式では、充電器に電気かみそりをセットすると、接点同士の接触または電磁誘導結合により、充電器が電気かみそりに電力を供給する。特許文献１には電磁誘導結合方式の充電器が記載されている。
【０００４】
充電コード方式では、充電コードの一端を電気かみそりに接続し、他端を商用電源に接続して、電気かみそりに電力を供給する。この場合、充電電源部が電気かみそりに内蔵されていることもあれば、充電コードの側に設けられていわゆる「充電アダプタ」を構成していることもある。特許文献２には前者の例が記載されている。
【先行技術文献】
【特許文献】
【０００５】
【特許文献１】特開平１０−９４６８５号公報（国際特許分類：Ｂ２６Ｂ１９／３８）
【特許文献２】特開平８−５２２８６号公報（国際特許分類：Ｂ２６Ｂ１９／３８、Ｈ０１Ｍ１０／４６）
【発明の概要】
【発明が解決しようとする課題】
【０００６】
充電コード方式を採用する充電式電気かみそりの場合、充電コードを介し商用電源に接続した状態で駆動することが可能である。本発明は、このような駆動状態であることを使用者に明瞭に認識させ、駆動終了後に的確な処置が行われるよう促す充電式電気かみそりを提供することを目的とする。
【課題を解決するための手段】
【０００７】
上記目的を達成するために本発明は、内刃を駆動するモータと、前記モータに電力を供給する二次電池と、前記モータと二次電池の間に配置された開閉スイッチと、前記二次電池の充電回路に接続された駆動用トランジスタと、前記駆動用トランジスタをデューティ制御するものであって、前記二次電池の電圧検知手段を含む制御装置と、前記各構成要素を内蔵するケースと、前記ケースに着脱可能に接続される充電コードとを備えた充電式電気かみそりにおいて、前記充電コードを介し商用電源に接続した状態で使用するとき、前記制御装置は、前記開閉スイッチが閉じられてから所定時間の間、前記駆動用トランジスタを特定のデューティで発振させつつ前記モータをＡＣ運転することを特徴としている。
【０００８】
この構成によると、電気かみそりを商用電源に充電コードを介して接続しておいて開閉スイッチを閉じると、駆動用トランジスタが特定のデューティで発振することにより、モータが特定の振動音を発するから、電気かみそりが充電コードを介して商用電源に接続された状態であることを使用者は明瞭に認識できる。
【０００９】
また本発明は、上記構成の充電式電気かみそりにおいて、前記所定時間経過後、前記制御装置は前記駆動用トランジスタを前記二次電池の電圧に応じたデューティで発振させることを特徴としている。
【００１０】
この構成によると、電気かみそりが充電コードを介して商用電源に接続された状態であることを特定のモータ振動音で使用者に認識させた後、二次電池が十分に充電された状態であればモータへの供給電力を主に二次電池に依存し、二次電池の充電が不十分であれば二次電池の充電を継続しつつ充電コードからの電力供給でモータを駆動するといった具合に、モータが必要とする電力を常に無理なく供給することができる。
【発明の効果】
【００１１】
本発明によると、電気かみそりが充電コードを介し商用電源に接続された状態で駆動されていることを、スイッチＯＮ後のモータ振動音で明瞭に認識することができるから、ひげそり後に充電を続行するならばその接続状態を維持する等、駆動終了後の適切な処置が促されるものである。
【図面の簡単な説明】
【００１２】
【図１】充電式電気かみそりの正面図である。
【図２】充電式電気かみそりの概略回路図である。
【図３】充電式電気かみそりを、充電コードを介して商用電源に接続した状態で駆動するときのフローチャートである。
【発明を実施するための形態】
【００１３】
図１に示す電気かみそり１は、いわゆる振動型の電気かみそりであって、ケース１０の上部に内刃と外刃からなる刃部１１を有する。刃部１１にはきわぞり用のトリマーも含まれる。ケース１０の正面には、内刃を駆動するモータをＯＮ／ＯＦＦさせる開閉スイッチのスライドつまみ１２が配置されている。ケース１０には図示しない充電コードが接続される。この充電コードは、充電電源部を備えた充電アダプタ形式のものであり、ケース１０に抜き差し可能、すなわち着脱可能である。
【００１４】
ケース１０の内部には、図２に示す構成要素が設けられる。まず、充電コードのプラグを接続するソケット２０がケース１０の下端に設けられる。ソケット２０の端子２１ａ、２１ｂには、前記内刃を駆動するモータ２２に電力を供給する二次電池２３の充電回路２４が接続される。充電回路２４には駆動用トランジスタ２５と逆流防止ダイオード２６が接続されている。また充電回路２４は、二次電池２３の電圧検知手段２８を含む制御装置２７と、制御装置２７に電力を供給する昇圧装置２９を備えている。制御装置２７はマイクロコンピュータを含み、駆動用トランジスタ２５をデューティ制御する。
【００１５】
モータ２２と二次電池２３の間には開閉スイッチ３０が設けられる。開閉スイッチ３０は単極双投型で、可動接片３１が接点３２に接続するとＯＦＦ状態、可動接片３１が接点３３に接続するとＯＮ状態となる。開閉スイッチ３０は、スライドつまみ１２を操作する度に、ＯＦＦからＯＮへ、ＯＮからＯＦＦへと可動接片３１の接続を切り替える。
【００１６】
電気かみそり１は、ソケット２０に充電コードを接続し、この充電コードを商用電源に接続しておいて開閉スイッチ３０をＯＮにしたとき、二次電池２３の電圧が低いと、二次電池２３の電力に依存するのでなく、充電コードを通じて得られた電力による運転、すなわちＡＣ運転を行うものである。以下、図３のフローチャートに基づきＡＣ運転時の制御の流れを説明する。
【００１７】
ステップ＃１０１で制御装置２７は、二次電池２３が短絡状態または開放状態にあるかどうかをチェックする。ＮＯならステップ＃１０２に進み、ＹＥＳならステップ＃１１８に進む。ステップ＃１１８に進んだ場合は、ＡＣ運転は中止される。すなわち駆動用トランジスタ２５のＯＦＦ状態が維持される。
【００１８】
ステップ＃１０２に進んだ場合、制御装置２７は駆動用トランジスタ２５をデューティ＝７０％で発振させ、ＡＣ運転を開始する。この時モータ２２は、二次電池２３による通常運転時の振動音と異なる、特定の振動音を発生するので、使用者は、電気かみそり１が充電コードを介し商用電源に接続された状態であることを明瞭に認識できる。なお、前記「７０％」をはじめとして、本明細書に登場するデューティ、時間、温度などの具体的数値は、いずれも単なる例示であり、発明に限定を加えるものではない。
【００１９】
ステップ＃１０２からステップ＃１０３へ進む。ステップ＃１０３ではステップ＃１０２の状態のまま２秒待つ。すなわち、通常運転時の振動音と異なる、特定の振動音が２秒間継続することになる。
【００２０】
ステップ＃１０３からステップ＃１０４へ進む。ステップ＃１０４では制御装置２７が「１秒タイマー」を開始する。
【００２１】
ステップ＃１０４からステップ＃１０５へ進む。ステップ＃１０５で制御装置２７は、二次電池２３が短絡状態にあるかどうかをチェックする。ＮＯならステップ＃１０６に進み、ＹＥＳならステップ＃１１８に進む。ステップ＃１１８に進んだ場合は、ＡＣ運転は中止される。すなわち駆動用トランジスタ２５のＯＦＦ状態が維持される。
【００２２】
ステップ＃１０６に進んだ場合、制御装置２７は、図示しない温度検知手段を通じて、充電回路２４が形成された回路基板の温度データを入手する。ここで制御装置２７は、基板温度が９０℃を上回っているかどうかをチェックする。ＮＯならステップ＃１０７に進み、ＹＥＳならステップ＃１１８に進む。ステップ＃１１８に進んだ場合は、ＡＣ運転は中止される。すなわち駆動用トランジスタ２５のＯＦＦ状態が維持される。
【００２３】
ステップ＃１０７に進んだ場合は、１０ミリ秒待ってステップ＃１０８に進む。
【００２４】
ステップ＃１０８で制御装置２７は、電圧検知手段２８を通じて、二次電池２３の電圧データを入手する。ここで制御装置２７は、二次電池２３の電圧が定格電圧である１．２Ｖを上回っているかどうかをチェックする。ＹＥＳならステップ＃１０９に進み、ＮＯならステップ＃１１２に進む。
【００２５】
ステップ＃１０９に進んだ場合は、制御装置２７は駆動用トランジスタ２５のデューティを１％削減する。そしてステップ＃１１０へ進む。
【００２６】
ステップ＃１１０で制御装置２７は、デューティが２％に満たないかどうかをチェックする。ＹＥＳならステップ＃１１１に進み、ＮＯならステップ＃１１５に進む。
【００２７】
ステップ＃１１１に進んだ場合は、制御装置２７は駆動用トランジスタ２５のデューティを２％にする。そしてステップ＃１１５へ進む。
【００２８】
ステップ＃１０８からステップ＃１１２に進んだ場合は、制御装置２７は駆動用トランジスタ２５のデューティを１％増加する。そしてステップ＃１１３へ進む。
【００２９】
ステップ＃１１３で制御装置２７は、デューティが９５％を上回っているかどうかをチェックする。ＹＥＳならステップ＃１１４に進み、ＮＯならステップ＃１１５に進む。
【００３０】
ステップ＃１１４に進んだ場合は、制御装置２７は駆動用トランジスタ２５のデューティを９５％にする。そしてステップ＃１１５へ進む。なおデューティ＝９５％というのは、二次電池２３を充電しつつモータ２２を駆動するのに十分な値である。
【００３１】
ステップ＃１１５で制御装置２７は、ステップ＃１０４で「１秒タイマー」が開始されてから１秒が経過したかどうかをチェックする。ＮＯならステップ＃１０７に戻り、ＹＥＳならステップ＃１１６に進む。
【００３２】
ステップ＃１１６で制御装置２７は、開閉スイッチ３０がＯＮにされてから３０分が経過したかどうかをチェックする。ＮＯならステップ＃１１７に進み、ＹＥＳならステップ＃１１８に進む。ステップ＃１１８に進んだ場合は、ＡＣ運転は中止される。すなわち駆動用トランジスタ２５のＯＦＦ状態が維持される。
【００３３】
ステップ＃１１７に進んだ場合、制御装置２７は、その中に含まれるタイマー部に１秒を積算する。そしてステップ＃１０４に戻る。
【００３４】
以上、本発明の実施形態につき説明したが、本発明の範囲はこれに限定されるものではなく、発明の主旨を逸脱しない範囲で種々の変更を加えて実施することができる。
【産業上の利用可能性】
【００３５】
本発明は、充電コードを用いる充電式電気かみそりに広く利用可能である。
【符号の説明】
【００３６】
１    電気かみそり
１０  ケース
２２  モータ
２３  二次電池
２４  充電回路
２５  駆動用トランジスタ
２７  制御装置
２８  電圧検知手段
３０  開閉スイッチ
【図１】
2010194205.tif 000003
【図２】
2010194205.tif 000004
【図３】
2010194205.tif 000005